(57)【要約】【課題】情報記録媒体に記録される密度が高くなることなどにより、再生振幅が信号周波数により依存するという問題を解決する情報記録再生装置および情報記録再生方法を得る。【解決手段】情報記録媒体に対する記録データの変調処理を実行し、変調データを生成する変調部と、前記変調データに対してＰＲ特性を畳み込む処理を行うＰＲ特性畳み込み部と、前記ＰＲ特性畳み込み部の出力を積算した結果に基づいて、ＤＣ制御のなされた符号データを生成または選択するＤＣ制御演算部と、該生成または選択データを情報記録媒体に対する記録データとして設定する構成と、を有する装置および方法で解決できる。【選択図】  図２
2010198664.tif 000002
【特許請求の範囲】
【請求項１】
情報記録処理装置において、
情報記録媒体に対する記録データの変調処理を実行し、変調データを生成する変調部と、
前記変調データに対してＰＲ特性を畳み込む処理を行うＰＲ特性畳み込み部と、
前記ＰＲ特性畳み込み部の出力を積算した結果に基づいて、ＤＣ制御のなされた符号データを生成または選択するＤＣ制御演算部と、
該生成または選択データを情報記録媒体に対する記録データとして設定する構成と、
を有することを特徴とする情報記録処理装置。
【請求項２】
請求項１に記載の情報記録処理装置において、
前記ＰＲ特性畳み込み部の出力を積算した結果に基づいて、ＤＳＶ（Ｄｉｇｉａｔａｌ Ｓｕｍ Ｖａｌｕｅ）を適用してＤＣ制御ビット設定処理を実行するＤＣ制御ビット挿入部と、
前記ＤＣ制御ビット挿入部によるＤＣ制御ビット挿入後のデータに対するＮＲＺＩ変換処理を実行するＮＲＺＩ変換部と、
を有する構成であることを特徴とする情報記録処理装置。
【請求項３】
請求項１に記載の情報記録処理装置において、
前記変調部は、記録データの変調処理により複数の変調データ候補を選択する構成であり、
前記ＰＲ特性畳み込み部の出力を積算した結果に基づいて、ＤＳＶ（Ｄｉｇｉａｔａｌ Ｓｕｍ Ｖａｌｕｅ）を適用して変調データ候補を選択する変調方式判定部、
を有する構成であることを特徴とする情報記録処理装置。
【請求項４】
情報記録処理装置において、
情報記録媒体に対する記録データの変調処理を実行し、変調データを生成する変調部と、
前記変調データに対して設定されたランレングスを検出するランレングス検出部と、
前記ランレングス検出結果に基づいて、ＤＣ制御処理を停止させることでＤＣ制御のなされた符号データを生成または選択するＤＣ制御演算部と、
該生成または選択データを情報記録媒体に対する記録データとして設定する構成と、
を有することを特徴とする情報記録処理装置。
【請求項５】
情報記録再生処理装置において、
情報記録媒体に対する記録データの変調処理を実行し、変調データを生成する変調部と、
前記変調データに対してＰＲ特性を畳み込む処理を行うＰＲ特性畳み込み部と、
前記ＰＲ特性畳み込み部の出力を積算した結果に基づいて、ＤＣ制御のなされた符号データを生成または選択するＤＣ制御演算部と、
該生成または選択データを情報記録媒体に対する記録データとして設定する構成と、
前記記録データをディスクから読み出すピックアップと、
前記ピックアップの出力であるアナログ信号をデジタル化するデジタル化部と、
前記デジタル化部の出力である多値信号をある時定数で積算し、積算結果を多値信号から減算するＤＣ補償部と、
を有することを特徴とする情報記録再生処理装置。
【請求項６】
情報記録再生処理装置において、
情報記録媒体に対する記録データの変調処理を実行し、変調データを生成する変調部と、
前記変調データに対して設定されたランレングスを検出するランレングス検出部と、
前記ランレングス検出結果に基づいて、ＤＣ制御処理を停止させることでＤＣ制御のなされた符号データを生成または選択するＤＣ制御演算部と、
該生成または選択データを情報記録媒体に対する記録データとして設定する構成と、
前記記録データをディスクから読み出すピックアップと、
前記ピックアップの出力であるアナログ信号をデジタル化するデジタル化部と、
前記デジタル化部の出力である多値信号をある時定数で積算し、積算結果を多値信号から減算するＤＣ補償部と、
を有することを特徴とする情報記録再生処理装置。
【請求項７】
情報記録処理方法において、
情報記録媒体に対する記録データの変調処理を実行し、変調データを生成する変調部と、
前記変調データに対してＰＲ特性を畳み込む処理を行うＰＲ特性畳み込み部と、
前記ＰＲ特性畳み込み部の出力を積算した結果に基づいて、ＤＣ制御のなされた符号データを生成または選択するＤＣ制御演算部と、
該生成または選択データを情報記録媒体に対する記録データとして設定する構成と、
を有することを特徴とする情報記録処理方法。
【請求項８】
請求項７に記載の情報記録処理方法において、
前記ＰＲ特性畳み込み部の出力を積算した結果に基づいて、ＤＳＶ（Ｄｉｇｉａｔａｌ Ｓｕｍ Ｖａｌｕｅ）を適用してＤＣ制御ビット設定処理を実行するＤＣ制御ビット挿入部と、
前記ＤＣ制御ビット挿入部によるＤＣ制御ビット挿入後のデータに対するＮＲＺＩ変換処理を実行するＮＲＺＩ変換部と、
を有する構成であることを特徴とする情報記録処理方法。
【請求項９】
請求項７に記載の情報記録処理方法において、
前記変調部は、記録データの変調処理により複数の変調データ候補を選択する構成であり、
前記ＰＲ特性畳み込み部の出力を積算した結果に基づいて、ＤＳＶ（Ｄｉｇｉａｔａｌ Ｓｕｍ Ｖａｌｕｅ）を適用して変調データ候補を選択する変調方式判定部、
を有する構成であることを特徴とする情報記録処理方法。
【請求項１０】
情報記録処理方法において、
情報記録媒体に対する記録データの変調処理を実行し、変調データを生成する変調部と、
前記変調データに対して設定されたランレングスを検出するランレングス検出部と、
前記ランレングス検出結果に基づいて、ＤＣ制御処理を停止させることでＤＣ制御のなされた符号データを生成または選択するＤＣ制御演算部と、
該生成または選択データを情報記録媒体に対する記録データとして設定する構成と、
を有することを特徴とする情報記録処理方法。
【請求項１１】
情報記録再生処理方法において、
情報記録媒体に対する記録データの変調処理を実行し、変調データを生成する変調部と、
前記変調データに対してＰＲ特性を畳み込む処理を行うＰＲ特性畳み込み部と、
前記ＰＲ特性畳み込み部の出力を積算した結果に基づいて、ＤＣ制御のなされた符号データを生成または選択するＤＣ制御演算部と、
該生成または選択データを情報記録媒体に対する記録データとして設定する構成と、
前記記録データをディスクから読み出すピックアップと、
前記ピックアップの出力であるアナログ信号をデジタル化するデジタル化部と、
前記デジタル化部の出力である多値信号をある時定数で積算し、積算結果を多値信号から減算するＤＣ補償部と、
を有することを特徴とする情報記録再生処理方法。
【請求項１２】
情報記録再生処理方法において、
情報記録媒体に対する記録データの変調処理を実行し、変調データを生成する変調部と、
前記変調データに対して設定されたランレングスを検出するランレングス検出部と、
前記ランレングス検出結果に基づいて、ＤＣ制御処理を停止させることでＤＣ制御のなされた符号データを生成または選択するＤＣ制御演算部と、
該生成または選択データを情報記録媒体に対する記録データとして設定する構成と、
前記記録データをディスクから読み出すピックアップと、
前記ピックアップの出力であるアナログ信号をデジタル化するデジタル化部と、
前記デジタル化部の出力である多値信号をある時定数で積算し、積算結果を多値信号から減算するＤＣ補償部と、
を有することを特徴とする情報記録再生処理方法。
【発明の詳細な説明】
【技術分野】
【０００１】
本発明は、情報記録媒体に情報を記録する、および／または情報記録媒体から情報を再生する、装置および方法に関する。
【背景技術】
【０００２】
特許文献１の０００６段落に記載のように、光ディスクなどの情報記録媒体に情報を記録する際、「変調処理においては、ＤＣ制御がなされてデータ記録がなされる。たとえば、データのある一定間隔毎に変調時のＤＳＶ（Ｄｉｇｉｔａｌ Ｓｕｍ Ｖａｌｕｅ：デジタルサムバリュー）の絶対値が、小さくなるようにＤＣ制御ビット（ＤＣ−Ｃｏｎｔｒｏｌ ｂｉｔ）が挿入されて記録データの生成処理が行われる。」なお、特許文献１の０００９段落に記載のように、「ＤＳＶは、記録波系列において、ビット値に対応するシンボル１、０について、各々＋１点、−１点とし、波形列の開始時点からのシンボルの和を次々に求めた値である。ＤＳＶは、変調信号の直流成分の評価の目安に使われる。ＤＳＶの絶対値が小さければ、直流成分、または低周波成分が少ないことになる。従って、ＤＳＶの絶対値が小さくなるように挿入するＤＣ制御ビットの値が決定される。」
しかし、特許文献１の００１０段落に記載のように、「ディスクにおけるピット長、ピット間隔が小さくなる（空間周波数が高くなる）と再生振幅が小さくなる傾向がある」ために、特許文献１の００１２段落に記載のように、「たとえばシンボルが「１」に対応する記録データに高い周波数の記録データが続き、シンボルが「０」に低い周波数の記録データが続くと、ＤＳＶの絶対値は、上記制御によって０に近く制御されるが、データ再生においては、シンボル「１」に対応するデータ部分の再生信号の平均振幅は、シンボルが「０」に対応するデータ部分の再生信号の平均振幅に比較して小さくなる。この結果、再生信号にはシンボル「０」側に偏りを持った低域成分がのってしまい、適切な低域成分の制御ができなくなってしまう」問題があったため、従来は特許文献１の００１４段落に記載のように、「データの構成ビットのラン長に対応して設定された係数に基づいて、ラン長対応のＤＣレベル算出処理を実行する」ことでこれを回避していた。
【先行技術文献】
【特許文献】
【０００３】
【特許文献１】特開２００７−２６６０１号公報
【発明の概要】
【発明が解決しようとする課題】
【０００４】
情報記録媒体に記録される密度が高くなることなどにより、再生振幅が信号周波数により依存するという問題を、特許文献１のように「データの構成ビットのラン長に対応して設定された係数に基づいて、ラン長対応のＤＣレベル算出処理を実行する」だけでは不十分となる場合がある。例えば、高密度媒体再生時にはデータパターンの組合せによっても信号振幅は変化してしまうことなどから、ラン長に応じて設定された係数を考慮するだけでは実際の波形と大きくことなってしまうことになる。
【課題を解決するための手段】
【０００５】
本願において開示される発明のうち、代表的なものの概要を簡単に説明すれば、次の通りである。
【０００６】
本発明の代表的な実施の形態に関わる情報記録装置および情報記録方法は、
情報記録媒体に対する記録データの変調処理を実行し、変調データを生成する変調部と、前記変調データに対してＰＲ特性を畳み込む処理を行うＰＲ特性畳み込み部と、前記ＰＲ特性畳み込み部の出力を積算した結果に基づいて、ＤＣ制御のなされた符号データを生成または選択するＤＣ制御演算部と、該生成または選択データを情報記録媒体に対する記録データとして設定する構成と、を有することを特徴とする。
【発明の効果】
【０００７】
本発明によれば、記録媒体に対する記録データに基づいて生成される変調データのＤＳＶに基づいてＤＣ制御を行う構成において、ＤＣ補正処理を再生装置で読み出される信号の特性を考慮して実施できるので、ＤＣ制御の精度が向上する。これにより、再生信号処理を行う際にＤＣ変動が抑圧されることから読み出し精度が向上する。さらにサーボの安定性も向上することから、サーボの安定性維持のための制御を強化する必要がなく、消費電力の低減、良好な再生信号の取得が実現される。
【図面の簡単な説明】
【０００８】
【図１】本発明の第１の実施例における情報記録媒体に情報を記録する装置および方法を表す概略図
【図２】本発明の第１の実施例におけるＤＣ制御演算を表す概略図
【図３】本発明の第１の実施例におけるビット列にＰＲ特性を畳み込む手段を表す概略図
【図４】本発明の第１の実施例における主なブロックでの演算結果の例を示す図
【図５】本発明の第１の実施例における情報記録媒体に情報を記録する方法の実施例を表す概略図フローチャート
【図６】本発明の第２の実施例における情報記録媒体に情報を記録する装置および方法を表す概略図
【図７】本発明の第２の実施例におけるＤＣ制御演算を表す概略図
【図８】本発明の第２の実施例における情報記録媒体に情報を記録する方法の実施例を表す概略図フローチャート
【図９】本発明の第３の実施例におけるビット列にＰＲ特性を畳み込む手段を表す概略図
【図１０】本発明の第３の実施例におけるビット列にＰＲ特性を畳み込む手段を表す概略図
【図１１】本発明の第３の実施例における主なブロックでの演算結果の例を示す図
【図１２】本発明の第４の実施例におけるＤＣ制御演算を表す概略図
【図１３】本発明の第４の実施例における主なブロックでの演算結果の例を示す図
【図１４】本発明の第５の実施例における情報記録媒体から情報を再生する装置および方法を表す概略図
【発明を実施するための形態】
【０００９】
以下、本発明の実施例について説明する。
【実施例１】
【００１０】
図１、図２、図３、図４、図５に、再生信号の特性をビット列に畳み込んだ結果を用いて、所定のＤＣ制御間隔ごとにＤＣ制御ビットを挿入しＤＣ制御を行う情報記録装置および方法を示す。
図１において、１０１は変調部、１０２はＤＣ制御演算部、１０３はＤＣ制御ビット挿入部、１０４はＮＲＺＩ変調部、１０５はＬＤＤ(Ｌａｓｅｒ Ｄｉｏｄｅ  Ｄｒｉｖｅｒ)、１０６はピックアップ、１０７はディスク、１０８はスピンドルモータである。ＤＣ制御演算部１０２の詳細を示す図２において、２０１はＮＲＺＩ変調部、２０２は符号発生部、２０３はＰＲ特性畳み込み部、２０４はＤＳＶ演算部、２０５は総ＤＳＶ保持部、２０６はＤＣ制御ビット判定部である。ＰＲ特性畳み込み部２０３の詳細を示す図３において、３０１乃至３０４はデータ遅延部、３０５乃至３０９は係数乗算部、３１０はデータ加算部である。
本実施例の情報記録媒体に情報を記録する装置および方法の概略について説明する。
図１に示すように、一般的にユーザーデータにセクタ情報やスクランブル、誤り訂正といった処理が施されたデータが変調部１０１に入力される（Ｓ５０１）。変調部１０１は、例えばＢＤ（Ｂｌｕ−ｒａｙ  Ｄｉｓｃ）で使用されているような（１、７）ＲＬＬ変調方式に従い、２ビットデータを３ビットデータへ変調する処理を実行する（Ｓ５０２）。（１、７）ＲＬＬ変調方式では、変調後のビットにおいて連続する０の数が、最小１つ、最大７個の範囲となるＲＬＬ（１，７）のランレングス制限に従った変調データとするデータ変換方式である。なお、この変換処理においては、変換テーブルが使用される。変調部１０１において変調された符号データは、ＤＣ制御演算部１０２及びＤＣ制御ビット挿入部１０３に入力される。図４（ａ）にこの変調部１０１出力信号の例を示す。
ここで、ＤＣ制御演算部１０２での処理内容について図２を用いて説明する。
ＤＣ制御演算部１０２に入力された変調データはＮＲＺＩ変調部２０１に入力され、変調データの０または１の値に応じてパルスの正負を反転させるＮＲＺＩ(Ｎｏｎ Ｒｅｔｕｒｎ ｔｏ Ｚｅｒｏ Ｉｎｖｅｒｔｅｄ)変調が行なわれる（Ｓ５０３）。図４（ｂ）にこのＮＲＺＩ変調部２０１出力信号の例を示す。このＮＲＺＩ変調データは符号生成部２０２に入力され、ＮＲＺＩ変調データが１ならば＋１を、０ならば−１を出力する（Ｓ５０４）。図４（ｂ）にこの符号生成部２０２出力信号の例を示す。この符号生成部出力データはＰＲ特性畳み込み部２０３に入力される。ＰＲ特性畳み込み部２０３では、想定される再生環境での再生波形の特性が、ＰＲ（Ｐａｒｔｉａｌ Ｒｅｓｐｏｎｓｅ）特性で近似される場合に、このＰＲ特性を符号生成部出力データに畳み込む処理を行う（Ｓ５０５）。
この畳み込み処理の例を図３に示す。
ＢＤなどのディスクをさらに高密度に記録し、従来の光ピックアップで信号を読み出した場合などにはＰＲ（１，２，２，２，１）で表される特性に近くなることが知られているので、例としてＰＲ（１，２，２，２，１）を畳み込み場合を考える。ＰＲ特性畳み込み部２０３に入力されたデータは、データ遅延部３０１乃至３０４によって１ビットずつシフトされる。その夫々のシフトデータに対して、ＰＲ（１，２，２，２，１）の場合であれば、係数乗算部３０５は係数１とＰＲ特性畳み込み部２０３入力データを乗算、係数乗算部３０６は係数２とデータ遅延部３０１出力データを乗算、係数乗算部３０７は係数２とデータ遅延部３０２出力データを乗算、係数乗算部３０８は係数２とデータ遅延部３０３出力データを乗算、係数乗算部３０９は係数１とデータ遅延部３０９出力データを乗算する。これら係数乗算部３０５乃至３０９の出力をデータ加算部３１０において全て加算することで、ＰＲ（１，２，２，２，１）特性を畳み込むことが可能となる。なお、このＰＲ特性畳み込み方法は１例であり、ＰＲ特性を反映することが出来るのであれば他の方法をとってもよい。図４（ｄ）にこのＰＲ特性畳み込み部２０３出力信号の例を示す。
ＰＲ特性畳み込み部２０３出力はＤＳＶ演算部２０４に入力され、ＤＣ制御ビット挿入間隔データのＰＲ特性畳み込み部２０３出力を全て積算し、ＤＣ制御ビット間のＤＳＶとしてＤＣ制御ビット判定部２０６へ入力する（Ｓ５０６）。
ＤＣ制御ビット判定部２０６では挿入すべきＤＣ制御ビットが０か１を判定するわけであるが、判定する制御ビットまでのＤＳＶ加算値が保持されている総ＤＳＶ保持部２０５に、ＤＳＶ演算部２０４出力であるＤＣ制御ビット間のＤＳＶをそのまま加算する場合と、ＤＣ制御ビット間のＤＳＶの符号反転値を加算する場合とでどちらの絶対値が０に近いかを比較し、そのままの方が０に近いならば該当ＤＣ制御ビットを０と判断、符号反転値の方が０に近いならば該当ＤＣ制御ビットを１と判断する（Ｓ５０７）。ＤＣ制御ビット挿入後にＮＲＺＩ変調を施した場合、ＤＣ制御ビットが１ならその後のビット列が反転することになるため、ＤＣ制御ビット間のＤＳＶは正負が逆転することになることから、このようにＤＣ制御ビットを決定することが可能である。もちろんＤＣ制御ビットを決定する方法はこれに限定するものではない。
なお、このＤＣ制御ビットを決定した際に使用したＤＣ制御ビット間のＤＳＶが総ＤＳＶ保持部２０５に入力され、保持されているＤＳＶに加算され次のＤＣ制御ビットの判定に使用されることになる。
このように決定されたＤＣ制御ビットはＤＣ制御ビット挿入部１０３に入力され、変調部１０１の出力データに挿入される（Ｓ５０８）。このＤＣ制御ビットが挿入されたデータがＮＲＺＩ変調部１０４に入力され、ＤＣ制御ビット挿入データの０または１の値に応じてパルスの正負を反転させるＮＲＺＩ変調が施された後（Ｓ５０９）、ＬＤＤ１０５に入力され該当データをディスクに記録するために必要なレーザーの強度変調を行い（Ｓ５１０）、ピックアップ１０６においてレーザーを発光し、ディスク１０７に記録する（Ｓ５１１）。
以上で説明した、想定される再生環境での再生波形の特性をデータに畳み込んでＤＳＶを演算する構成、方法によれば、記録時のＤＣ制御ビットを決定した方法と再生時のＤＣ制御を行う方法の親和性が非常に高くなり、従来のものより精度よく低周波数成分を抑圧することが可能となる。これにより、再生信号処理を行う際にＤＣ変動が抑圧されることから読み出し精度が向上する。さらにサーボの安定性も向上することから、サーボの安定性維持のための制御を強化する必要がなく、消費電力の低減、良好な再生信号の取得が実現される。
なお、本実施例では例として光ディスクに対する記録装置および方法について説明したが、光ディスクに限定するものではなく、磁気ディスク、光磁気ディスク、または通信などにも適用可能である。また、変調方式も（１、７）ＲＬＬ変調方式に限定されるものではなく、どのような変調方式についても同様に適用可能である。
【実施例２】
【００１１】
図６、図７、図８に、再生信号の特性をビット列に畳み込んだ結果を用いて、変調処理の際の変調テーブルなどを適応的に切替えＤＣ制御を行う情報記録装置および方法を示す。
図６において、６０１は変調部、６０２はＤＣ制御演算部である。ＤＣ制御演算部６０２の詳細を示す図７において、７０１は第１変調部、７０２は第１ＮＲＺＩ変調部、７０３は第１符号発生部、７０４は第１ＰＲ特性畳み込み部、７０５は第１ＤＳＶ演算部、７０６は第２変調部、７０７は第２ＮＲＺＩ変調部、７０８は第２符号発生部、７０９は第２ＰＲ特性畳み込み部、７１０は第２ＤＳＶ演算部、７１１は総ＤＳＶ保持部、７１２は変調方式判定部である。また、図１と同じ番号のものは同じ機能を有するものとする。
本実施例の情報記録媒体に情報を記録する装置および方法の概略について説明する。
図６に示すように、ユーザーデータにセクタ情報やスクランブル、誤り訂正といった処理が施されたデータがＤＣ制御演算部６０２及び変調部６０１に入力される（Ｓ８０１）。
ここで、ＤＣ制御演算部６０２での処理内容について図７を用いて説明する。
ＤＣ制御演算部６０２に入力された入力データは第１変調部７０１に入力され、第１の変調テーブルを用いて変調処理が施される（Ｓ８０２）。この変調データは第１ＮＲＺＩ変調部７０２に入力され、変調データの０または１の値に応じてパルスの正負を反転させるＮＲＺＩ変調が行なわれる（Ｓ８０３）。この第１ＮＲＺＩ変調データは第１符号生成部７０３に入力され、第１ＮＲＺＩ変調データが１ならば＋１を、０ならば−１を出力する（Ｓ８０４）。この第１符号生成部出力データは第１ＰＲ特性畳み込み部７０４に入力される。第１ＰＲ特性畳み込み部７０４では、想定される再生環境での再生波形のＰＲ特性を第１符号生成部出力データに畳み込む処理を行う（Ｓ８０５）。この畳み込み処理は第１の実施例におけるＰＲ特性畳み込み部２０３の動作（Ｓ５０５）と同様である。第１ＰＲ特性畳み込み部７０４出力は第１ＤＳＶ演算部７０５に入力され、予め設定されたＤＣ制御周期内のデータの第１ＰＲ特性畳み込み部７０４出力を全て積算し、ＤＣ制御周期内のＤＳＶとして変調方式判定部７１１へ入力する（Ｓ８０６）。
また同時に、ＤＣ制御演算部６０２に入力された入力データは第２変調部７０６に入力され、第２の変調テーブルを用いて変調処理が施される（Ｓ８０７）。なお、この第２の変調テーブルは第１の変調テーブルを使用した場合とＤＳＶが逆に出るように考慮されていることが望ましい。この変調データは第２ＮＲＺＩ変調部７０７に入力され、変調データの０または１の値に応じてパルスの正負を反転させるＮＲＺＩ変調が行なわれる（Ｓ８０８）。この第２ＮＲＺＩ変調データは第２符号生成部７０８に入力され、第２ＮＲＺＩ変調データが１ならば＋１を、０ならば−１を出力する（Ｓ８０９）。この第２符号生成部出力データは第２ＰＲ特性畳み込み部７０９に入力される。第２ＰＲ特性畳み込み部７０９では、想定される再生環境での再生波形のＰＲ特性を第２符号生成部出力データに畳み込む処理を行う（Ｓ８１０）。この畳み込み処理は第１の実施例におけるＰＲ特性畳み込み部２０３の動作（Ｓ５０５）と同様である。第２ＰＲ特性畳み込み部７０９出力は第２ＤＳＶ演算部７１０に入力され、予め設定されたＤＣ制御周期内のデータの第２ＰＲ特性畳み込み部７０９出力を全て積算し、ＤＣ制御周期内のＤＳＶとして変調方式判定部７１１へ入力する（Ｓ８１１）。
変調方式判定部７１１で使用する変調方式を判定するわけであるが、以前のＤＳＶ加算値が保持されている総ＤＳＶ保持部７１２に、第１ＤＳＶ演算部７０５出力であるＤＣ制御周期内のＤＳＶを加算する場合と、第２ＤＳＶ演算部７１０出力であるＤＣ制御周期内のＤＳＶを加算する場合とを比較し、０に近くなる方の変調方式を選択する（Ｓ８１２）。
なお、この変調方式を決定した際に使用したＤＣ制御周期内のＤＳＶが総ＤＳＶ保持部７１２に入力され、保持されているＤＳＶに加算され次の変調方式の判定に使用されることになる。
このように決定された変調方式の情報が変調部６０１に入力され、変調部６０１においてＤＣ制御演算部６０２出力に基づいた変調方式を使用して入力データに対して変調が施される（Ｓ８１３）。この変調データがＮＲＺＩ変調部１０４に入力され、変調データの０または１の値に応じてパルスの正負を反転させるＮＲＺＩ変調が施された後（Ｓ８１４）、ＬＤＤ１０５に入力され該当データをディスクに記録するために必要なレーザーの強度変調を行い（Ｓ８１５）、ピックアップ１０６においてレーザーを発光し、ディスク１０７に記録する（Ｓ８１６）。
以上で説明した、想定される再生環境での再生波形の特性をデータに畳み込んでＤＳＶを演算する構成、方法によれば、記録時の変調方式を決定した方法と再生時のＤＣ制御を行う方法の親和性が非常に高くなり、従来のものより精度よく低周波数成分を抑圧することが可能となる。これにより、再生信号処理を行う際にＤＣ変動が抑圧されることから読み出し精度が向上する。さらにサーボの安定性も向上することから、サーボの安定性維持のための制御を強化する必要がなく、消費電力の低減、良好な再生信号の取得が実現される。
なお、本実施例では例として光ディスクに対する記録装置および方法について説明したが、光ディスクに限定するものではなく、磁気ディスク、光磁気ディスク、または通信などにも適用可能である。また、変調方式として２つのものを比較してＤＳＶが０に近くなるように制御していたが２つに限定するものではなく、３つ、４つなど２つ以上であればよい。
【実施例３】
【００１２】
図９、図１０、図１１に、第１の実施例と異なる特性をビット列に畳み込んだ結果を用いて、所定のＤＣ制御間隔ごとにＤＣ制御ビットを挿入しＤＣ制御を行う情報記録装置および方法を示す。
第１の実施例と相違するのは、ＰＲ特性畳み込み部２０３の詳細を示す図９において、９０１乃至９０５の係数乗算部である。若しくは、図１０における、１００１乃至１００４の係数乗算部である。
本実施例のＰＲ特性を畳み込む装置および方法を説明する。これは第１の実施例におけるＰＲ特性を畳み込む処理（Ｓ５０５）に該当する。
第１の実施例では、想定される再生環境での再生波形の特性がＰＲ（１，２，２，２，１）としていたが、ＰＲ（１，２，３，２，１）、ＰＲ（１，４，６，４，１）などとしても同様に議論できる。よって、ここでは一般化してＰＲ（ａ，ｂ，ｃ，ｄ，ｅ）と記述する。処理としては、第１の実施例におけるＳ５０５の説明において係数をａ，ｂ，ｃ，ｄ，ｅと読み替えればよい。具体的には図９に示すように、シフトデータに対して係数乗算部９０１は係数ａとＰＲ特性畳み込み部２０３入力データを乗算、係数乗算９０２は係数ｂとデータ遅延部３０１出力データを乗算、係数乗算部９０３は係数ｃとデータ遅延部３０２出力データを乗算、係数乗算部９０４は係数ｄとデータ遅延部３０３出力データを乗算、係数乗算部９０５は係数ｅとデータ遅延部３０９出力データを乗算する。これら係数乗算部９０１乃至９０５の出力をデータ加算部３１０において全て加算することで、ＰＲ（ａ，ｂ，ｃ，ｄ，ｅ）特性を畳み込むことが可能となる。
また、ＰＲ特性の拘束長（係数の数）も５に限定されるものではない。例としてＰＲ（ａ，ｂ，ｃ，ｄ）の場合を図１０に示す。シフトデータに対して係数乗算部１００１は係数ａとＰＲ特性畳み込み部２０３入力データを乗算、係数乗算１００２は係数ｂとデータ遅延部３０１出力データを乗算、係数乗算部１００３は係数ｃとデータ遅延部３０２出力データを乗算、係数乗算部１００４は係数ｄとデータ遅延部３０３出力データを乗算する。これら係数乗算部１００１乃至１００４の出力をデータ加算部３１０において全て加算することで、ＰＲ（ａ，ｂ，ｃ，ｄ）特性を畳み込むことが可能となる。
図１１（ｄ）に例としてＰＲ（１，２，２，１）の場合の畳み込み結果を示す。
以上で説明した、想定される再生環境での再生波形の特性をデータに畳み込んでＤＳＶを演算する構成、方法によれば、記録時の変調方式を決定した方法と再生時のＤＣ制御を行う方法の親和性が非常に高くなり、従来のものより精度よく低周波数成分を抑圧することが可能となる。これにより、再生信号処理を行う際にＤＣ変動が抑圧されることから読み出し精度が向上する。さらにサーボの安定性も向上することから、サーボの安定性維持のための制御を強化する必要がなく、消費電力の低減、良好な再生信号の取得が実現される。
なお、本実施例は第１の実施例の変形例として説明したが、第１の実施例だけでなく第２の実施例および／または以降の実施例においても同様に適用が可能である。
【実施例４】
【００１３】
図１２、図１３に、特定のビット列を排除した結果を用いて、所定のＤＣ制御間隔ごとにＤＣ制御ビットを挿入しＤＣ制御を行う情報記録装置および方法を示す。
第１の実施例と相違するのは、ＤＣ制御演算部１０２の詳細を示す図１２において、２Ｔ検出部１２０１、２Ｔ除去部１２０２である。
第１の実施例において再生信号の特性をＰＲ（１，２，２，２，１）としたが、この特性は０または１の連続数であるランレングスが２の時の振幅が０となる特徴を有している（図４（ｄ）参照）。振幅が０のため、ＤＳＶ演算ではそもそもランレングス２の信号は考慮されないこととなる。そこでランレングス２の信号を除去した上でＤＳＶ演算させるのを目的としたのが本実施例である。
本実施例の情報記録媒体に情報を記録する装置および方法の概略について説明する。
第１の実施例における符号生成部２０２の出力が２Ｔ検出部１２０１および２Ｔ除去部１２０２に入力される。まず、２Ｔ検出部１２０１では入力された符号生成後データからランレングスが２のものを検出する。図１３（ｄ）にランレングス２を検出した例を示す。なお、本実施例の説明でランレングス２のものを検出するのに符号生成部２０２の出力を使用しているが、ＮＲＺＩ変調部２０１の出力を使用するなどしてもよい。このランレングス２を検出した結果は２Ｔ除去部１２０２に入力される。２Ｔ除去部１２０２では検出したタイミングで符号生成部２０２の出力データを０とする処理を行う。図１３（ｅ）にこの例を示す。後はこの２Ｔ除去部１２０２出力をＤＳＶ演算部２０４に入力し、以降は第１の実施例と同様の処理を行う。
以上で説明した、特定のビット列を排除した結果を用いてＤＳＶを演算する構成、方法によれば、記録時の変調方式を決定した方法と再生時のＤＣ制御を行う方法の親和性が非常に高くなり、従来のものより精度よく低周波数成分を抑圧することが可能となる。これにより、再生信号処理を行う際にＤＣ変動が抑圧されることから読み出し精度が向上する。さらにサーボの安定性も向上することから、サーボの安定性維持のための制御を強化する必要がなく、消費電力の低減、良好な再生信号の取得が実現される。
なお、本実施例は第１の実施例の変形例として説明したが、第１の実施例だけでなく第２の実施例および／または以降の実施例においても同様に適用が可能である。また、本実施例ではランレングス２の場合を例に説明したが、これに限定されるものではなくランレングスがいくつであっても同様に適用が可能である。
【実施例５】
【００１４】
図１４に、再生信号の特性をビット列に畳み込んだ結果を用いて、所定のＤＣ制御間隔ごとにＤＣ制御ビットを挿入しＤＣ制御を行う情報記録再生装置および方法を示す。
図１４において、１４０１はピックアップ、１４０２はＨＰＦ（Ｈｉｇｈ−Ｐａｓｓ Ｆｉｌｔｅｒ）、１４０３はＬＰＦ（Ｌｏｗ−Ｐａｓｓ Ｆｉｌｔｅｒ）、１４０４はＡＤＣ（Ａ／Ｄコンバータ）、１４０５はＤＣ補償部、１４０６は２値化処理部である。
まず、記録は上記第１の実施例、または第２の実施例、または第３の実施例、または第４の実施例を用いて変調を施し記録したディスクがあるとする。この記録ディスクを再生する際に推奨される再生系について説明する。
ディスク１０７よりピックアップ１２０１を介して読み取られた信号は、ＨＰＦ１４０２において高域通過フィルター処理、ＬＰＦ１４０３において低域通過フィルター処理を行い、ＡＤＣ１４０４でデジタル化されてＤＣ補償部１４０５に入力される。ＤＣ補償部１４０５では入力されるデータを設定された時定数で加算し続け、加算結果をＤＣ補償部１４０５に入力されるデータから減算することでＤＣ補償を行う。あとはＤＣ補償データを２値化処理部１４０６に入力し、スライスやＰＲＭＬ（Ｐａｒｔｉａｌ Ｒｅｓｐｏｎｓｅ Ｍａｘｉｍｕｍ Ｌｉｋｅｌｉｈｏｏｄ）といった２値化処理を施し、復調、誤り訂正などを行った後にホストにデータが送信される。
以上で説明した、ＤＣ補償方法を用いて再生を行う構成、方法によれば、記録時の変調方式を決定した方法と再生時のＤＣ制御を行う方法の親和性が非常に高くなり、従来のものより精度よく低周波数成分を抑圧することが可能となる。これにより、再生信号処理を行う際にＤＣ変動が抑圧されることから読み出し精度が向上する。さらにサーボの安定性も向上することから、サーボの安定性維持のための制御を強化する必要がなく、消費電力の低減、良好な再生信号の取得が実現される。
【符号の説明】
【００１５】
１０１…変調部、１０２…ＤＣ制御演算部、１０３…ＤＣ制御ビット挿入部、
１０４…ＮＲＺＩ変調部、１０５…ＬＤＤ、１０６…ピックアップ、
１０７…ディスク、１０８…スピンドルモータ、
２０１…ＮＲＺＩ変調部、２０２…符号発生部、２０３…ＰＲ特性畳み込み部、
２０４…ＤＳＶ演算部、２０５…総ＤＳＶ保持部、２０６…ＤＣ制御ビット判定部、３０１乃至３０４…データ遅延部、３０５乃至３０９…係数乗算部、
３１０…データ加算部、
６０１…変調部、６０２…ＤＣ制御演算部、
７０１…第１変調部、７０２…第１ＮＲＺＩ変調部、７０３…第１符号発生部、
７０４…第１ＰＲ特性畳み込み部、７０５…第１ＤＳＶ演算部、
７０６…第２変調部、７０７…第２ＮＲＺＩ変調部、７０８…第２符号発生部、
７０９…第２ＰＲ特性畳み込み部、７１０…第２ＤＳＶ演算部、
７１１…総ＤＳＶ保持部、７１２…変調方式判定部
９０１乃至９０５…係数乗算部、１００１乃至１００４…係数乗算部、
１２０１…２Ｔ検出部、１２０２…２Ｔ除去部、
１４０１…ピックアップ、１４０２…ＨＰＦ、１４０３…ＬＰＦ、
１４０４…ＡＤＣ、１４０５…ＤＣ補償部、１４０６…２値化処理部
【図１】
2010198664.tif 000003
【図２】
2010198664.tif 000004
【図３】
2010198664.tif 000005
【図４】
2010198664.tif 000006
【図５】
2010198664.tif 000007
【図６】
2010198664.tif 000008
【図７】
2010198664.tif 000009
【図８】
2010198664.tif 000010
【図９】
2010198664.tif 000011
【図１０】
2010198664.tif 000012
【図１１】
2010198664.tif 000013
【図１２】
2010198664.tif 000014
【図１３】
2010198664.tif 000015
【図１４】
2010198664.tif 000016